(57)【要約】      （修正有）【課題】全身における体内の免疫力を向上させる免疫力向上増進装置を提供する。【解決手段】体内の免疫力を向上させる免疫力向上増進装置は、居住空間を形成するチャンバ１０と、チャンバ内の気圧を、所定気圧の高圧に維持するための加圧手段２０と、チャンバ内の酸素濃度を所定濃度に維持するための酸素供給手段２２とを備え、人が入った状態のチャンバ内の気圧及び酸素濃度を所定の値に維持する。【選択図】図１
0003230767.tif 000002
【実用新案登録請求の範囲】
【請求項１】
体内の免疫力を向上させるための免疫力向上増進装置において、
居住空間を形成するチャンバと、
該チャンバ内の気圧を、所定気圧の高圧に維持するための加圧手段と、
該チャンバ内の酸素濃度を所定濃度に維持するための酸素供給手段とを備え、
人が入った状態の該チャンバ内の気圧及び酸素濃度を所定の値に維持することを特徴とする免疫力向上増進装置。
【請求項２】
前記加圧手段が維持する気圧が、１．２気圧〜１．４気圧であることを特徴とする請求項１記載の免疫力向上増進装置。
【請求項３】
前記酸素供給手段が維持する酸素濃度が、３０％〜４０％であることを特徴とする請求項１又は請求項２記載の免疫力向上増進装置。
【考案の詳細な説明】
【技術分野】
【０００１】
本考案は、体内の免疫力を向上させるための免疫力向上増進装置に関する。
【背景技術】
【０００２】
従来より、生活環境にかかわらず常により健康な生体状態を実現させることを目的とする装置が、提案されている。例えば、特許文献１の放射エネルギー照射装置は、可視波長域の放射と生体内部に浸透して生体機能を維持・増進させる所定の波長域の放射とを含む照明用の照明光を照射する手段を備えて、例えば、所定の波長域が６００ｎｍ〜１１００ｎｍの範囲であり、この波長域の放射によって、生体の免疫力を増強させたり自律神経を活性化させたりして、生体機能を維持・増進させることができるものである。
【先行技術文献】
【特許文献】
【０００３】
【特許文献１】特開２００１−２５５１１号公報
【考案の概要】
【考案が解決しようとする課題】
【０００４】
しかしながら、従来の放射エネルギー照射装置は、いわゆる照明装置的なものなので、身体の局所的な部分にのみ照射が可能であるものの全身に対して効率よく効果を発揮させることは困難である。
【０００５】
本考案は、このような事情に鑑みてなされたもので、全身における体内の免疫力を向上させるための免疫力向上増進装置を提供することを目的とする。
【課題を解決するための手段】
【０００６】
請求項１記載の免疫力向上増進装置は、居住空間を形成するチャンバと、チャンバ内の気圧を、所定気圧の高圧に維持するための加圧手段と、チャンバ内の酸素濃度を所定濃度に維持するための酸素供給手段とを備え、人が入った状態のチャンバ内の気圧及び酸素濃度を所定の値に維持することを特徴とする。
【０００７】
請求項２記載の免疫力向上増進装置は、加圧手段が維持する気圧が、１．２気圧〜１．４気圧であることを特徴とする。
【０００８】
請求項３記載の免疫力向上増進装置は、酸素供給手段が維持する酸素濃度が、３０％〜４０％であることを特徴とする。
【考案の効果】
【０００９】
本願考案の免疫力向上増進装置によれば、全身における体内の免疫力を向上させることができる。
【図面の簡単な説明】
【００１０】
【図１】本考案に係る免疫力向上増進装置の構成の一例を示す説明図である。
【図２】図１の免疫力向上増進装置の効果の一例を示す説明図である。
【考案を実施するための形態】
【００１１】
以下、本考案の形態について図面を参照しながら具体的に説明する。図１は、本考案に係る免疫力向上増進装置の構成の一例を示す説明図である。図２は、図１の免疫力向上増進装置の効果の一例を示す説明図である。
【００１２】
図における免疫力向上増進装置１は、体内の免疫力を向上させるためのものである。居住空間を形成するチャンバ１０と、チャンバ内１０ａの気圧を上げるための加圧手段である加圧用コンプレッサ２０と、チャンバ内１０ａの酸素濃度を所定濃度に維持するための酸素供給手段２２とを備えている。また、チャンバ内１０ａの気圧をモニタするための圧力計３０も備えている。尚、加圧手段である加圧用コンプレッサ２０が維持する気圧は、１．２気圧〜１．４気圧である。また、酸素供給手段２２が維持する酸素濃度は、３０％〜４０％である。
【００１３】
チャンバ１０は、人の身体が完全に収まる大きさで、単に横たわって入ることができる大きさから、部屋状の大きさだったり座ったりすることができる大きさや、複数人が入ることができる大きさまで、様々である。そして、チャンバ１０は、図示しない出入口があり、チャンバ１０を閉じた状態では、チャンバ内１０ａは密閉空間になるような構造である。
【００１４】
加圧用コンプレッサ２０は、チャンバ内１０ａの気圧を上げるための加圧手段であり、チャンバ１０の外側に配置され、チャンバ内１０ａと連通して給気している。尚、チャンバ内１０ａに配置されていてもよい。加圧用コンプレッサ２０は、加圧手段の一例であり、ポンプ等の他の手段であってもかまわない。
【００１５】
減圧用コンプレッサ（不図示）も併せて用いた場合、減圧用コンプレッサは、加圧用コンプレッサ２０と組み合わせて所定圧を維持するための手段であり、チャンバ内１０ａの気圧を高圧から常圧に戻す際に、常圧に向かってチャンバ内１０ａの気圧を下げるための減圧手段であって、チャンバ内１０ａに配置され、チャンバ内１０ａの空気を押し出すものである。または、チャンバ１０の外側に配置されている場合には、チャンバ内１０ａの空気を吸い出すものであってもよい。減圧用コンプレッサは、減圧手段の一例であり、ポンプ等の他の手段であってもかまわない。
【００１６】
尚、図示してはいないが、チャンバ内１０ａの気圧の調整のために、各種の弁構造を設けるようにしてもよい。
【００１７】
酸素供給手段２２は、チャンバ内１０ａの酸素濃度を所定濃度に維持するために高濃度酸素を供給する手段であり、チャンバ１０の外側に配置され、チャンバ内１０ａと連通している。尚、酸素供給手段２２は、チャンバ内１０ａに配置されていてもよい。
【００１８】
次に、本実施の形態における免疫力向上増進装置１の動作の一例を説明する（図１参照）。まず、加圧手段である加圧用コンプレッサ２０を動作させて、チャンバ内１０ａの気圧を、所望の気圧だけ高くするようにする。そして、所定間隔でチャンバ内１０ａの気圧を、常圧よりも高圧な状態を維持したまま所定圧とする。併せて、酸素供給手段２２を動作させて、チャンバ内１０ａの酸素濃度を、所望の濃度だけ高くして、所定の高酸素濃度を維持する。気圧を下げたい場合には、加圧用コンプレッサ２０の出力を調整しつつ、減圧手段である減圧用コンプレッサ（不図示）を動作させて、気圧を下げるようにする。
【００１９】
加圧用コンプレッサ２０及び減圧用コンプレッサ（不図示）をバランス良く動作させるようにし、必要に応じて図示しない弁構造を動作させて、気圧を維持させる。尚、チャンバ内１０ａの気圧を下げて常圧に戻す場合には、加圧用コンプレッサ２０の動作を止めて、減圧用コンプレッサを動作させて、チャンバ内１０ａの空気をチャンバ１０の外に押し出す（又は抜き出す）ようにする。尚、図示しない弁構造を開放して高圧になった空気をチャンバ１０の外に出すようにしてもよい。
【００２０】
加圧手段である加圧用コンプレッサ２０を動作させて、チャンバ内１０ａの気圧を所定気圧の高圧に維持し、かつ、酸素供給手段２２を動作させて、チャンバ内１０ａの酸素濃度を所定の高濃度に維持することによって、チャンバ内１０ａの人が入った状態のチャンバ内の気圧及び酸素濃度を所定の値に維持することができる。
【００２１】
以上のような構造の本実施の形態に係る免疫力向上増進装置１によれば、利用者はチャンバ内１０ａで居住空間として自由に過ごしながら、全身における体内の免疫力を向上させることができる。具体的な実験結果としては、図２に示すように、４０歳から６０歳代の男女４人が、免疫力向上増進装置１のチャンバ内１０ａ（１．３気圧、酸素濃度３０％）に約１時間滞在した場合、ＮＫ  ｂｒｉｇｈｔ細胞が約３４％増加し、ＮＫ  ｄｉｍ細胞が約２４％増加しており（図２では、免疫力向上増進装置１のチャンバ内１０ａを「酸素ルーム」と記載）、免疫力向上増進装置１が、全身における体内の免疫力を向上させることができることを示している。
【００２２】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００２３】
本考案により、全身における体内の免疫力を向上させるための免疫力向上増進装置を提供することができる。
【符号の説明】
【００２４】
１・・・・・免疫力向上増進装置
１０・・・・チャンバ
１０ａ・・・チャンバ内
２０・・・・加圧用コンプレッサ
２２・・・・酸素供給手段
３０・・・・圧力計
【図１】
0003230767.tif 000003
【図２】
0003230767.tif 000004